(57)【要約】【課題】表示のチラツキがない、不安定表示がない、無駄な設計とならない、液晶表示装置を提供する。【解決手段】各信号線１１および各走査線１２を有する液晶パネル６と、各信号線１１を駆動する信号線駆動部９と、各走査線１２を駆動する走査線駆動部１０と、中継部２を介して各外部信号が入力され、信号線駆動部９および走査線駆動部１０に対し、各タイミング信号を出力する制御部７と、液晶パネル６を照光する光源５と、光源５に対して、所定周波数の電圧を供給するインバータ回路４と、中継部２を介して入力されたタイミング信号により、インバータ回路４を制御する制御回路１３とを設けた。【選択図】図１
2007256588.tif 000002
【特許請求の範囲】
【請求項１】
各信号線および各走査線を有する液晶パネルと、各信号線を駆動する信号線駆動部と、各
走査線を駆動する走査線駆動部と、中継部を介して各外部信号が入力され、前記信号線駆
動部および前記走査線駆動部に対し、各タイミング信号を出力する制御部と、前記液晶パ
ネルを照光する光源と、前記光源に対して、所定周波数の電圧を供給するインバータ回路
と、前記中継部を介して入力された前記タイミング信号により、前記インバータ回路を制
御する制御回路とを具備した事を特徴とする液晶表示装置。
【請求項２】
前記制御回路は、前記タイミング信号が立ち上がってから、所定時間経過後に、前記イン
バータ回路を介して前記光源に対し、前記電圧の供給を開始させる事を特徴とする請求項
１の液晶表示装置。
【請求項３】
前記制御回路は、前記タイミング信号の立ち下がり時点と実質的に同一の時点において、
前記インバータ回路を介して前記光源に対し、前記電圧の供給を停止させる事を特徴とす
る請求項１の液晶表示装置。
【請求項４】
前記中継部はコネクタからなり、前記制御部から出力された前記タイミング信号は、前記
コネクタの１部分に入力され、前記コネクタの他の部分から出力された前記タイミング信
号は前記制御回路に入力される事を特徴とする請求項１の液晶表示装置。
【請求項５】
前記液晶表示装置は、表示部と、前記制御回路とからなり、前記表示部は、前記液晶パネ
ルと、前記信号線駆動部と、前記走査線駆動部と、前記中継部と、前記制御部と、前記光
源と、前記インバータ回路等から構成され、前記制御回路は前記中継部に対し、着脱自在
に構成されている事を特徴とする請求項１の液晶表示装置。
【発明の詳細な説明】
【技術分野】
【０００１】
本発明は液晶表示装置に関する。
【背景技術】
【０００２】
従来、この種の装置は例えば、特許文献１に示されている。特許文献１の図１によると
液晶パネル４と、それを駆動する駆動部６とが設けられている。中継部２および信号処理
部３を介して、外部信号が入力される伝送器５が設けられている。伝送器５は駆動部６に
対し、タイミング信号と、表示データを出力する。また、液晶パネル４を照光する光源１
０と、インバータ回路１１が設けられている。
【特許文献１】特開２００４−２９４８６３号公報
【発明の開示】
【発明が解決しようとする課題】
【０００３】
上記液晶表示装置では、液晶パネル４の表示開始時点と、光源１０の点灯開始時点とを
制御する制御回路がない。そのため、点灯開始時点よりも表示開始時点が遅れた場合、液
晶パネル４の表示開始直後に、表示データの乱れによる、チラツキが目視される、第１の
欠点がある。また、消灯開始時点よりも表示終了時点が遅れた場合、液晶パネル４内の液
晶の放電による、不安定表示が目視される、第２の欠点がある。
【０００４】
本発明者は、これらの欠点を解消するために、表示開始時点および点灯開始時点を制御
し、表示終了時点および消灯開始時点を制御する制御回路を設けた。本発明者は、この制
御回路の入力側と、制御部が出力するタイミング信号の線を直接に接続させた。
【０００５】
しかし、上記液晶表示装置に対し、外部信号および電源を供給する外部機器において、
外部信号と電源の各立ち上がり時点を異ならせて、上記欠点を解消する第１タイプの外部
機器がある。また、その様な機能を持たない、第２タイプの外部機器もある。
【０００６】
上記の様に、制御回路を設けた場合、第１タイプの外部機器を用いると、同一の制御機
能を持つことになり、無駄な設計となり、コストが高くなる、第３の欠点がある。
【０００７】
そこで、本発明は、この様な従来の欠点を考慮し、表示のチラツキがない、不安定表示
がない、無駄な設計とならない、液晶表示装置を提供する。
【課題を解決するための手段】
【０００８】
上記課題を解決するために、請求項１の本発明では、各信号線および各走査線を有する
液晶パネルと、各信号線を駆動する信号線駆動部と、各走査線を駆動する走査線駆動部と
、中継部を介して各外部信号が入力され、前記信号線駆動部および前記走査線駆動部に対
し、各タイミング信号を出力する制御部と、前記液晶パネルを照光する光源と、前記光源
に対して、所定周波数の電圧を供給するインバータ回路と、前記中継部を介して入力され
た前記タイミング信号により、前記インバータ回路を制御する制御回路とを具備した。
【０００９】
請求項２の本発明では、前記制御回路は、前記タイミング信号が立ち上がってから、所
定時間経過後に、前記インバータ回路を介して前記光源に対し、前記電圧の供給を開始さ
せる。
【００１０】
請求項３の本発明では、前記制御回路は、前記タイミング信号の立ち下がり時点と実質
的に同一の時点において、前記インバータ回路を介して前記光源に対し、前記電圧の供給
を停止させる。
【００１１】
請求項４の本発明では、前記中継部はコネクタからなり、前記制御部から出力された前
記タイミング信号は、前記コネクタの１部分に入力され、前記コネクタの他の部分から出
力された前記タイミング信号は前記制御回路に入力される。
【００１２】
請求項５の本発明では、前記液晶表示装置は、表示部と、前記制御回路とからなり、前
記表示部は、前記液晶パネルと、前記信号線駆動部と、前記走査線駆動部と、前記中継部
と、前記制御部と、前記光源と、前記インバータ回路等から構成され、前記制御回路は前
記中継部に対し、着脱自在に構成されている。
【発明の効果】
【００１３】
上記課題を解決するために、請求項１の本発明では、各信号線および各走査線を有する
液晶パネルと、各信号線を駆動する信号線駆動部と、各走査線を駆動する走査線駆動部と
、中継部を介して各外部信号が入力され、信号線駆動部および走査線駆動部に対し、各タ
イミング信号を出力する制御部と、液晶パネルを照光する光源と、光源に対して、所定周
波数の電圧を供給するインバータ回路と、中継部を介して入力されたタイミング信号によ
りインバータ回路を制御する制御回路とを設けた。
【００１４】
この様に、中継部を介して、制御回路にタイミング信号が入力されるので、第２タイプ
の外部機器に対しては、このままの構成で使用できる。また、第１タイプの外部機器に対
しては、中継部から制御回路を外せば良く、無駄な設計をしなくて済む。
【００１５】
請求項２の本発明では、制御回路は、タイミング信号が立ち上がってから、所定時間経
過後に、インバータ回路を介して光源に対し、電圧の供給を開始させる。その結果、液晶
パネルの表示開始後に、表示データの乱れによる、表示のチラツキが目視されない。
【００１６】
請求項３の本発明では、制御回路は、タイミング信号の立ち下がり時点と実質的に同一
の時点において、インバータ回路を介して光源に対し、電圧の供給を停止させる。その結
果として、表示終了後における、液晶パネル内の液晶の放電による、不安定表示が目視さ
れない。
【００１７】
請求項４の本発明では、中継部はコネクタからなり、制御部から出力されたタイミング
信号は、コネクタの１部分に入力され、コネクタの他の部分から出力されたタイミング信
号は制御回路に入力される。この様に構成することにより、外部機器が第１タイプか第２
タイプかに応じて、中継部から制御回路を、簡単に着脱できる。
【００１８】
請求項５の本発明では、前記液晶表示装置は、表示部と、前記制御回路とからなり、前
記表示部は、前記液晶パネルと、前記信号線駆動部と、前記走査線駆動部と、前記中継部
と、前記制御部と、前記光源と、前記インバータ回路等から構成され、前記制御回路は前
記中継部に対し、着脱自在に構成されている。この構成により、第１タイプの外部機器に
対しては、制御回路は容易に外されるので、コストが安くなる。
【発明を実施するための最良の形態】
【００１９】
以下に、図面と実施例により、本発明を実施するための最良の形態を詳細に説明する。
【実施例】
【００２０】
以下、図１ないし図４に従い、本実施例に係る液晶表示装置１を説明する。図１は液晶
表示装置１を示すブロック図、図２は液晶表示装置１に用いられる制御回路の回路図、図
３は液晶表示装置１の表示が開始された時の各電圧および各信号の波形図、図４は液晶表
示装置１の表示が終了された時の各電圧および各信号の波形図である。
【００２１】
図１において、液晶表示装置１は、中継部２と、コネクタ３と、インバータ回路４と、
光源５と、液晶パネル６と、制御部７と、電源部８とガンマ補正部（図示せず）と、複数
個の信号線駆動部９と、複数個の走査線駆動部１０と、複数の信号線１１と、複数の走査
線１２と、制御回路１３等からなる。
【００２２】
液晶パネル６は例えば、下ガラス基板上に、複数個設けられた各信号線１１と、各走査
線１２と、それらの交点近傍に設けられたＴＦＴと、ＴＦＴに接続された画素電極などを
有する。液晶パネル６は、上ガラス基板に設けられた共通電極と、下ガラス基板および上
ガラス基板との間に設けられた液晶（共に図示せず）等を有する。
【００２３】
信号線駆動部９は各信号線１１を駆動するドライバである。走査線駆動部１０は各走査
線１２を駆動するドライバである。
【００２４】
インバータ回路４の入力側は、外部機器１４内の電源回路１５に接続され、インバータ
用電圧Ｖ４が供給される。
【００２５】
光源５は例えば、冷陰極管などからなり、コネクタ３を介して、インバータ回路４の出
力側に接続されている。液晶パネル６の背面側には、導光板（図示せず）が設けられてい
る。光源５は、導光板の側面に近接して設けられている。光源５からの光は、導光板を通
り、液晶パネル６の背面を照光する様に、設けられている。
【００２６】
図１において、中継部２は例えばコネクタ等からなる。中継部２の入力側は、外部機器
１４（例えば、コンピュータ、テレビジョン装置、ビデオ再生装置、ＤＶＤ再生装置、ナ
ビゲーション本体等）に設けられた映像信号発生回路１６から送られた、各外部信号Ｓ１
が入力される。各外部信号Ｓ１は、例えば、データイネーブル信号ＤＥと、ＲＧＢ各６ビ
ットのデジタル画像データＲＤ，ＧＤ，ＢＤと、ドットクロック信号ＤＯＴＣＬＫ、垂直
同期信号ＶＳ、水平同期信号ＨＳ等である。
【００２７】
中継部２の入力側は、外部機器１４に設けられた電源回路１５から送られた電源電圧Ｖ
ＩＮが入力され、電源部８に対し、電源電圧ＶＩＮを出力している。
【００２８】
中継部２は、制御部７に対し、各外部信号Ｓ１を出力する。制御部７は、信号線駆動部
９に対し、タイミング信号Ｓ２を出力する。制御部７は、走査線駆動部１０に対し、タイ
ミング信号Ｓ３を出力する。
【００２９】
即ち、制御部７は、中継部２を介して、各外部信号Ｓ１が入力され、信号線駆動部９お
よび走査線駆動部１０に対し、各タイミング信号Ｓ２，Ｓ３を出力する。
【００３０】
電源部８は、電源電圧ＶＩＮが入力されると、制御部７に対し、駆動電圧Ｖ１（例えば
、直流３．３ボルト）を出力するものである。
【００３１】
制御部７は、各外部信号Ｓ１をデジタル的に信号処理し、デジタルＲＧＢ表示データＤ
（Ｒ，Ｇ，Ｂ）と、タイミング信号Ｓ２、即ち、水平クロック信号ＣＬＫ、ストローブ信
号ＳＴＲＢ、極性反転信号ＰＯＬ、およびスタートパルス信号ＥＩＳを、それぞれ信号線
駆動部９へ供給する。
【００３２】
制御部７は、走査線駆動部１０に対し、タイミング信号Ｓ３、即ち、スタートパルスＦ
ＬＭ、垂直クロック信号ＣＰＶ、ゲートイネーブル信号ＯＥを供給する。
【００３３】
制御部７を説明する。制御部７は、データイネーブル信号ＤＥの入力端子と、ＲＧＢ各
６ビットのデジタル画像データＲＤ，ＧＤ，ＢＤの入力端子と、ドットクロック信号ＤＯ
ＴＣＬＫの入力端子と、垂直同期信号ＶＳの入力端子と、水平同期信号ＨＳの入力端子（
共に図示せず）を有している。
【００３４】
制御部７は、デジタルＲＧＢ表示データＤ（Ｒ，Ｇ，Ｂ）の出力端子と、水平クロック
信号ＣＬＫの出力端子と、ストローブ信号ＳＴＲＢの出力端子と、極性反転信号ＰＯＬの
出力端子と、スタートパルス信号ＥＩＳの出力端子と、制御信号Ｎ１，Ｎ２，Ｎ３の出力
端子（共に図示せず）を有している。
【００３５】
制御部７の内部は、大きく分けて前処理部と、データイネーブル信号ＤＥカウンタと、
水平同期信号ＨＳＹＮＣカウンタと、ドットクロック信号ＤＯＴＣＬＫカウンタ（共に図
示せず）を備えている。
【００３６】
前処理部からの出力信号と、ＤＥカウンタの出力信号と、ＨＳＹＮＣカウンタの出力信
号と、ＤＯＴＣＬＫカウンタの出力信号とにより、スタートパルス出力手段（ＦＬＭ生成
回路）において、スタートパルスＦＬＭ信号が生成され、ＤＯＴＣＬＫカウンタの出力信
号により、ＣＰＶ生成回路において、垂直クロック信号ＣＰＶが生成される。
【００３７】
また、ＤＯＴＣＬＫカウンタの出力信号により、ＯＥ生成回路によりゲートイネーブル
信号ＯＥが、ストローブ生成回路によりストローブ信号ＳＴＲＢが生成される。ＰＯＬ生
成回路により極性反転信号ＰＯＬが生成され、ＥＩＳ生成回路によりスタートパルス信号
ＥＩＳが生成される。
【００３８】
また、デジタル画像データＲＤ，ＧＤ，ＢＤは、データシフト回路（図示せず）におい
て処理されて、デジタルＲＧＢ表示データＤ（Ｒ，Ｇ，Ｂ）として出力される。更に、駆
動電圧Ｖ１用の入力端子が設けられている。
【００３９】
これらの前処理部と、ＤＥカウンタと、ＨＳＹＮＣカウンタと、ＤＯＴＣＬＫカウンタ
と、ＯＥ生成回路と、ストローブ生成回路と、ＰＯＬ生成回路と、ＥＩＳ生成回路と、デ
ータシフト回路等の構成は、従来の制御部における構成と実質的に相違はない。動作原理
も同様であるので、詳細な説明は省略する。
【００４０】
電源電圧ＶＩＮは電源部８に入力されている（図１参照）。電源部８は、供給された電
源電圧ＶＩＮ（例えば３．３ボルト）を基に、液晶表示装置１内で使用される各種の電圧
を生成する。例えば、制御部７のロジック部と、信号線駆動部９のロジック部と、走査線
駆動部１０のロジック部に対して、駆動電圧Ｖ１を生成し、出力する。
【００４１】
また、電源部８は、ガンマ補正部（図示せず）に対して、基準電圧ＶＣＯＭ１およびＶ
ＣＯＭ２と、共通電圧ＶＣＯＭを生成する。
【００４２】
ガンマ補正部は、電源部８から供給された基準電圧ＶＣＯＭ１およびＶＣＯＭ２を抵抗
分圧することにより、階調基準電圧ＶＧＭ１〜ＶＧＭ１０(図示せず)を生成し、信号線駆
動部１５へ供給する。
【００４３】
更に、電源部８は、信号線駆動部９の非ロジック部（例えば出力部）に対して、所定の
電圧ＶＧＥＮを生成する。
【００４４】
上記電圧Ｖ１，ＶＧＥＮ，ＶＧＭ１〜ＶＧＭ１０をまとめて、信号線駆動部用電圧Ｖ２
と呼ぶ。
【００４５】
電源部８は、走査線駆動部１０の非ロジック部（例えば出力部）に対して、高電圧ＶＧ
Ｈおよび低電圧ＶＧＬを生成し、出力する。上記電圧Ｖ１，ＶＧＨ，ＶＧＬをまとめて、
走査線駆動部用電圧Ｖ３と呼ぶ。また、電源部８は、液晶パネル６の共通電極に印加する
ための共通電圧ＶＣＯＭを生成する。
【００４６】
信号線駆動部９は、１８ビットラッチ、シフトレジスタ、サンプリングメモリ、ホール
ドメモリ、レベルシフタ、分圧回路、ＤＡ変換器、出力部（いずれも図示せず）を備えて
いる。
【００４７】
制御部７から信号線駆動部９へ入力された表示データを構成する各６ビットのデータＤ
（Ｒ，Ｇ，Ｂ）は、信号線駆動部９内のラッチにおいて時分割で、内部にラッチされる。
【００４８】
そして、信号線駆動部９内のサンプリングメモリ、ホールドメモリ、レベルシフタを経
て、水平同期信号ＨＳに同期して発生されるスタートパルスＥＩＳに基づいて、分圧回路
からの基準電圧を基に、ＤＡ変換器により、ＤＡ変換が行われる。
【００４９】
このことにより、ガンマ補正されたアナログ電圧（階調電圧）が発生され、出力バッフ
ァ（出力部）を経て、液晶パネル６のＹ１〜Ｙｎ（図示せず）からなるｎ本の信号線１１
に供給される。
【００５０】
また、制御部７から走査線駆動部１０へ供給された垂直同期信号ＶＳに同期し、発生さ
れる垂直クロック信号ＣＰＶと、スタートパルスＦＬＭは、走査線駆動部１０により処理
される。そして走査信号は、液晶パネル６のＸ１〜Ｘｍ（図示せず）からなるｍ本の走査
線１２に供給される。
【００５１】
次に、電源部８を説明する。電源部８は電源電圧検知回路と、複数のスイッチングレギ
ュレータと、電源ＩＣとを有している。更に電源部８は、複数のスイッチ部と、複数の変
換回路等を有している。
【００５２】
電源電圧検知回路は、電源電圧ＶＩＮが所定値（例えば、直流３．３ボルト）以上にな
ると、電圧ＶＣＣ（例えば、直流４ボルト）を出力する。そして、電源電圧検知回路は、
電源電圧ＶＩＮが所定値未満になると、電圧ＶＣＣの出力を停止する。
【００５３】
この様な構成により、電源部８は制御部７の制御に従って、駆動電圧Ｖ１（３．３ボル
ト）と、ＶＧＥＮ（５ボルト）と、高電圧ＶＧＨ（１５ボルト）と、低圧ＶＧＨ（−１５
ボルト）を、所定のタイミングにて、出力開始させる。
【００５４】
更に、電源部８は制御部７の制御に従って、駆動電圧Ｖ１（３．３ボルト）と、ＶＧＥ
Ｎ（５ボルト）と、高電圧ＶＧＨ（１５ボルト）と、低圧ＶＧＨ（−１５ボルト）を、所
定のタイミングにて、出力停止させる。
【００５５】
制御回路１３は、中継部２を介して入力されたタイミング信号Ｓ３により、インバータ
回路４を制御するものである。即ち、制御回路１３には、電源電圧ＶＩＮおよびタイミン
グ信号Ｓ３が入力され、インバータ回路４に対し、制御信号Ｓ４を出力する。
【００５６】
次に、図２に従い、制御回路１３を説明する。図２において、ＩＣ１７は例えば、単安
定マルチバイブレータ等からなる。ＩＣ１７の端子１は接地されている。端子２は、タイ
ミング信号Ｓ３が入力される。端子３は、コンデンサ１８の１側に接続されている。コン
デンサ１８の他側は接地されている。
【００５７】
端子４は接地されている。端子５は、制御信号Ｓ４を出力するものである。端子６はコ
ンデンサ１９の１側に接続されている。コンデンサ１９の他側は、ダイオード２０を介し
て、線２１に接続されている。また、コンデンサ１９の他側は、抵抗２２を介して、線２
１に接続されている。
【００５８】
端子７は、ダイオード２０を介して、線２１に接続されている。端子８は線２１に接続
されている。端子２３は線２１に接続され、電源電圧ＶＩＮが入力される。
【００５９】
更に、端子６とコンデンサ１９の１側との接続点は接地されている。抵抗２４は、線２
１と、線２５との間に接続されている。線２１の端は、端子３と、コンデンサ１８の１側
との接続点に接続されている。以上の部品により、液晶表示装置１は構成されている。な
お、タイミング信号として、上述した垂直クロック信号ＣＰＶの他に、ＥＩＳ信号、ＳＴ
ＲＢ信号、ＯＥ信号、ＦＬＭ信号も、用いることができる。
【００６０】
次に、図１，２に従い、液晶表示装置１の特徴的な構成を、以下にまとめる。第１の特
徴は、各信号線１１および各走査線１２を有する液晶パネル６と、各信号線１１を駆動す
る信号線駆動部９と、各走査線１２を駆動する走査線駆動部１０が設けられている。
【００６１】
そして、中継部２を介して各外部信号Ｓ１が入力され、信号線駆動部９および走査線駆
動部１０に対し、各タイミング信号Ｓ２，Ｓ３を出力する制御部７が設けられている。液
晶パネル６を照光する光源５と、光源５に対して、所定周波数の電圧Ｖ５を供給するイン
バータ回路４が設けられている。中継部２を介して入力されたタイミング信号Ｓ３により
インバータ回路４を制御する制御回路１３が設けられている。
【００６２】
第２の特徴は、制御回路１３は、タイミング信号Ｓ３が立ち上がってから、所定時間経
過後に、インバータ回路４を介して光源５に対し、電圧Ｖ５の供給を開始させる。
【００６３】
第３の特徴は、制御回路１３は、タイミング信号Ｓ３の立ち下がり時点と実質的に同一
の時点において、インバータ回路４を介して光源５に対し、電圧Ｖ５の供給を停止させる
ものである。
【００６４】
第４の特徴は、中継部２はコネクタからなり、制御部７から出力されたタイミング信号
Ｓ３は、コネクタの１部分２６に入力される。コネクタの他の部分２７から出力されたタ
イミング信号Ｓ３は制御回路１３に入力される。
【００６５】
第５の特徴は、液晶表示装置１は、表示部２８と、制御回路１３とからなる。表示部２
８は、液晶パネル６と、信号線駆動部９と、走査線駆動部１０と、中継部２と、制御部７
と、光源５と、インバータ回路４等から構成されている。制御回路１３は中継部２に対し
着脱自在に構成されている。
【００６６】
次に、再び図１ないし図４に従い、液晶表示装置１の動作を説明する。最初に、使用者
（ユーザ）は、外部機器１４（例えば、外部機器ナビゲーション本体）に設けられたスタ
ートボタン（図示せず）を押したものとする。
【００６７】
スタートボタンが設けられた入力手段（共に図示せず）は、映像信号発生回路１６に接
続されている。その結果、中継部２に対して、外部信号Ｓ１が入力されたとする。
【００６８】
また、スタートボタンが設けられた入力手段は、電源回路１５に接続されている。電源
回路１５は所定の電源を直流３．３ボルトに変換するものである。そこで、中継部２を介
して、電源部８に対して、電源電圧ＶＩＮ（直流３．３ボルト）が入力したものとする。
【００６９】
図３に示す様に、最初に、インバータ用電圧Ｖ４が立ち上がる（図３（ｃ）参照）。次
に電源電圧ＶＩＮが立ち上がる（図３（ａ）参照）。
【００７０】
その後、しばらくして、タイミング信号Ｓ３が立ち上がる（図３（ｂ）参照）。この時
、液晶パネル６は起動する。
【００７１】
制御回路１３は、タイミング信号Ｓ３の立ち上がり時点から、所定時間経過後に、イン
バータ回路４に対し、ハイレベルの制御信号Ｓ４を出力する（図３（ｄ）参照）。その結
果インバータ回路４内のＭＯＳ  ＦＥＴ（図示せず）は、オン状態となる。
【００７２】
それ故に、インバータ用電圧Ｖ４は、インバータ回路４に入力され、所定周波数を持つ
電圧Ｖ５に変換され、出力される。電圧Ｖ５は、コネクタ３を介して、光源５に供給され
る。
【００７３】
即ち、制御回路１３は、タイミング信号Ｓ３が立ち上がってから、所定時間経過後に、
インバータ回路４を介して光源５に対し、電圧Ｖ５の供給を開始させる。この様にして、
液晶パネル６において、所定の映像が表示される。
【００７４】
次に、ユーザは、外部機器４に設けられた、例えば、終了ボタン（図示せず）を押した
ものとする。
【００７５】
終了ボタンが設けられた入力手段（図示せず）は、映像信号発生回路１６に接続されて
いる。その結果、中継部２に対して、外部信号Ｓ１の入力が停止されたとする。図４に示
す様に、この時、タイミング信号Ｓ３は立ち下がり（図４（ｂ）を参照）、液晶パネル６
の表示動作は停止する。
【００７６】
次に、タイミング信号Ｓ３の立ち下がり時点と、実質的に同一時点にて、制御信号Ｓ４
は立ち下がる（図４（ｄ）参照）。この時、光源５への電圧Ｖ５の供給は停止され、光源
５は消灯する。
【００７７】
その後、電源電圧ＶＩＮは立ち下がる（図４（ａ）参照）。その後、インバータ用電圧
Ｖ４は、立ち下がる（図４（ｃ）参照）。この様にして、液晶パネル６において、所定の
映像の表示が終了する。
【００７８】
即ち、制御回路１３は、タイミング信号Ｓ３の立ち下がり時点と実質的に同一の時点に
おいて、インバータ回路４を介して光源５に対し、電圧Ｖ５の供給を停止させる。
【図面の簡単な説明】
【００７９】
【図１】本発明の実施例に係る液晶表示装置１のブロック図である。
【図２】上記装置１に用いられる制御回路の回路図である。
【図３】上記装置１の表示が開始された時の、各電圧と各信号の波形図である。
【図４】上記装置１の表示が終了された時の、各電圧と各信号の波形図である。
【符号の説明】
【００８０】
２  中継部
４  インバータ回路
５  光源
６  液晶パネル
７  制御部
８  電源部
９  信号線駆動部
１０  走査線駆動部
１１  信号線
１２  走査線
１３  制御回路
【図１】
2007256588.tif 000003
【図２】
2007256588.tif 000004
【図３】
2007256588.tif 000005
【図４】
2007256588.tif 000006